(57)【要約】【課題】複数の蓋が設けられた高電圧ユニットケースにおいて、簡便な構造で蓋の閉め忘れを防止する。【解決手段】第２の蓋２３は、第２の座２１に取り付けられた状態で第１の座１２の表面に沿って第１の開口１３に向って延びるアーム２５と、アーム２５に取り付けられ、本体１１の内部に向って延びるスプリング２７とを含む。スプリング２７は、第１の蓋１４が取り付けられない状態で第２の蓋２３が取り付けられた場合には第１の開口１３から本体１１の内部に延びて高電圧ユニットと接触し、漏電が検知されて高電圧ユニットの動作が不可能となる。第１の蓋１４が取り付けられている状態で第２の蓋２３が取り付けられた場合には第１の蓋１４の絶縁されている表面に接触し、漏電は検出されず高電圧ユニットは動作可能となる。【選択図】図２
2010246321.tif 000002
【特許請求の範囲】
【請求項１】
内部に高電圧ユニットが収納される本体と、
本体表面の第１の座に設けられた第１の開口と、第１の座と隣接し、第１の座よりも本体表面から突出する第２の座に設けられた第２の開口と、
表面が絶縁され、第１の座に取り付けられて第１の開口を覆う第１の蓋と、第２の座に取り付けられて第２の開口を覆う第２の蓋と、を備える高電圧ユニットケースであって、
第２の蓋は、第２の座に取り付けられた状態で第１の座の表面に沿って第１の開口に向って延びるアームと、アームに取り付けられ、本体内部に向って延びる導通体とを含み、
導通体は、第１の蓋が取り付けられない状態で第２の蓋が取り付けられた場合には第１の開口から本体内部に延びて高電圧ユニットと接触し、第１の蓋が取り付けられている状態で第２の蓋が取り付けられた場合には第１の蓋の表面に接触すること、
を特徴とする高圧ユニットケース。
【請求項２】
内部に高電圧ユニットが収納されると共に第１のインターロックコネクタが設けられる本体と、
本体表面の第１の座に設けられた第１の開口と、第１の座と隣接し、第１の座よりも本体表面から突出する第２の座に設けられた第２の開口と、
表面が絶縁され、第１の座に取り付けられて第１の開口を覆う第１の蓋と、第２の座に取り付けられて第２の開口を覆う第２の蓋と、を備える高電圧ユニットケースであって、
第２の蓋は、第２の座に取り付けられた状態で第１の座の表面に沿って第１の開口に向って延びるアームと、アームに取り付けられる第２のインターロックコネクタとを含み、
第１の蓋は、第１の座に取り付けられた状態で第１のインターロックコネクタと第２のインターロックコネクタとの間を導通させる導通部材を備えること、
を特徴とする高電圧ユニットケース。
【請求項３】
内部に高電圧ユニットが収納されると共に第３のインターロックコネクタが設けられる本体と、
本体表面の第１の座に設けられた第１の開口と、第１の座と隣接し、第１の座よりも本体表面から突出する第２の座に設けられた第２の開口と、
第１の座に取り付けられて第１の開口を覆う第１の蓋と、第３のインターロックコネクタと接続される第４のインターロックコネクタが取り付けられ、第２の座に取り付けられて第２の開口を覆う第２の蓋と、を備える高電圧ユニットケースであって、
本体内部に取り付けられ、第１の蓋が取り付けられていない状態で第４のインターロックコネクタに係合して第４のインターロックコネクタと第３のインターロックコネクタとの接続を禁止し、第１の蓋の取りつけによって第４のインターロックコネクタとの係合が解除され、第４のインターロックコネクタと第３のインターロックコネクタとの接続を可能にするストッパリンクを有すること、
を特徴とする高電圧ユニットケース。
【請求項４】
請求項３に記載の高電圧ユニットケースであって、
ストッパリンクは、
第１の開口と第２の開口の間の本体内部に設けられたヒンジと、ヒンジから第１の蓋に向かって延び、その先端が第１の蓋と係合する第１のアームと、ヒンジから第４のインターロックコネクタに向って延び、その先端が第４のインターロックコネクタに係合する第２のアームと、を備え、第１の蓋の取り付けによって第１のアームの先端が押し下げられると第２のアームの先端の第４のインターロックコネクタとの係合が解除されること、
を特徴とする高電圧ユニットケース。
【請求項５】
内部に高電圧ユニットが収納される本体と、
本体表面の第１の座に設けられた第１の開口と、第１の座と隣接し、第１の座よりも本体表面から突出する第２の座に設けられた第２の開口と、
第１の座に取り付けられて第１の開口を覆う第１の蓋と、第２の座に取り付けられて第２の開口を覆う第２の蓋と、を備える高電圧ユニットケースであって、
第１の蓋は、第１の座に取り付けられた状態で第１の座の表面に沿って第２の開口に向かって延びるアームと、アームに設けられ、第２の蓋の本体と反対側の面からボルトがねじこまれるねじ部と、を有すること、
を特徴とする高電圧ユニットケース。
【発明の詳細な説明】
【技術分野】
【０００１】
本発明は、高圧ユニットケースの構造に関する。
【背景技術】
【０００２】
ハイブリッド車両や電気自動車などの電動車両は、２００Ｖ程度の低電圧の二次電池の電圧を４００Ｖから６００Ｖの高電圧に昇圧してモータを駆動するものが多い。これは、二次電池を高電圧とした場合、電源系統全体を高耐圧構造とすることが必要となってしまうためである。そして、二次電池の電圧を昇圧する昇圧コンバータや高電圧の直流電力をモータ駆動用の交流電力に変換するインバータなど、高電圧によって動作するユニットは防塵、防水のために高電圧ユニットケースに収容されている場合が多い。
【０００３】
一方、高電圧ユニットケースに収容された昇圧コンバータやインバータについても保守、点検が必要となる。この場合、安全確保のために高電圧ユニットに供給される高電圧電力を遮断することが必要となる。このため、特許文献１には、高電圧ユニットケースの上部カバーが取り外されるとインターロックスイッチがオンとなり、システムメインリレーが開となって電力が高電圧ユニットに供給されないようにして、保守点検の際の安全を確保することが提案されている。
【先行技術文献】
【特許文献】
【０００４】
【特許文献１】特開２００５−１４３２００号公報
【発明の概要】
【発明が解決しようとする課題】
【０００５】
一方、近年の高電圧ユニットは特許文献１に記載されたように、保守、点検のために上部カバー全体を取り外すよりも、保守、点検の際に内部の高電圧ユニットの動作を確認するためのプラグの部分に取り外し可能の蓋を取りつけ、保守、点検の際にはこの蓋を取り外して内部の点検を行うことが多くなってきている。そこで、蓋を取り外した際に高圧電源を遮断したり、高圧ユニットに供給される電源を遮断して高圧ユニットの動作を停止させたりして安全が確保できるように、蓋と高圧ユニットケースとの間に蓋を取り外した際に電源を遮断することができるインターロックコネクタを取りつけている場合が多い。
【０００６】
ところが、高電圧ユニット車両に搭載できるよう、その外部形状が車体の形状によって制限されるため内部点検用の蓋を複数に分割して設けることが必要となってくる場合がある。この場合、複数の蓋毎にインターロックコネクタを取り付けると高電圧ユニットの外形形状が大きくなってしまい、車両への搭載が困難となってしまう場合があった。また、全ての各蓋にインターロックコネクタを取りつけない場合、インターロックコネクタが取り付けられていない蓋を閉め忘れた場合でも高電圧ユニットが動作してしまうので、高電圧ユニットケースの防塵、防水が確保できない場合があるという問題があった。
【０００７】
そこで、本発明は、複数の蓋が設けられた高電圧ユニットケースにおいて、簡便な構造で蓋の閉め忘れを防止することを目的とする。
【課題を解決するための手段】
【０００８】
本発明の高電圧ユニットケースは、内部に高電圧ユニットが収納される本体と、本体表面の第１の座に設けられた第１の開口と、第１の座と隣接し、第１の座よりも本体表面から突出する第２の座に設けられた第２の開口と、表面が絶縁され、第１の座に取り付けられて第１の開口を覆う第１の蓋と、第２の座に取り付けられて第２の開口を覆う第２の蓋と、を備える高電圧ユニットケースであって、第２の蓋は、第２の座に取り付けられた状態で第１の座の表面に沿って第１の開口に向って延びるアームと、アームに取り付けられ、本体内部に向って延びる導通体とを含み、導通体は、第１の蓋が取り付けられない状態で第２の蓋が取り付けられた場合には第１の開口から本体内部に延びて高電圧ユニットと接触し、第１の蓋が取り付けられている状態で第２の蓋が取り付けられた場合には第１の蓋の表面に接触すること、を特徴とする。
【０００９】
本発明の高電圧ユニットケースは、内部に高電圧ユニットが収納されると共に第１のインターロックコネクタが設けられる本体と、本体表面の第１の座に設けられた第１の開口と、第１の座と隣接し、第１の座よりも本体表面から突出する第２の座に設けられた第２の開口と、表面が絶縁され、第１の座に取り付けられて第１の開口を覆う第１の蓋と、第２の座に取り付けられて第２の開口を覆う第２の蓋と、を備える高電圧ユニットケースであって、第２の蓋は、第２の座に取り付けられた状態で第１の座の表面に沿って第１の開口に向って延びるアームと、アームに取り付けられる第２のインターロックコネクタとを含み、第１の蓋は、第１の座に取り付けられた状態で第１のインターロックコネクタと第２のインターロックコネクタとの間を導通させる導通部材を備えること、を特徴とする。
【００１０】
本発明の高電圧ユニットケースは、内部に高電圧ユニットが収納されると共に第１のインターロックコネクタが設けられる本体と、本体表面の第１の座に設けられた第１の開口と、第１の座と隣接し、第１の座よりも本体表面から突出する第２の座に設けられた第２の開口と、第１の座に取り付けられて第１の開口を覆う第１の蓋と、第１のインターロックコネクタと接続される第２のインターロックコネクタが取り付けられ、第２の座に取り付けられて第２の開口を覆う第２の蓋と、を備える高電圧ユニットケースであって、本体内部に取り付けられ、第１の蓋が取り付けられていない状態で第２のインターロックコネクタに係合して第２のインターロックコネクタと第１のインターロックコネクタとの接続を禁止し、第１の蓋の取りつけによって第２のインターロックコネクタとの係合が解除され、第２のインターロックコネクタと第１のインターロックコネクタとの接続を可能にするストッパリンクを有すること、を特徴とする。
【００１１】
本発明の高電圧ユニットケースにおいて、ストッパリンクは、第１の開口と第２の開口の間の本体内部に設けられたヒンジと、ヒンジから第１の蓋に向かって延び、その先端が第１の蓋と係合する第１のアームと、ヒンジから第２のインターロックコネクタに向って延び、その先端が第２のインターロックコネクタに係合する第２のアームと、を備え、第１の蓋の取り付けによって第１のアームの先端が押し下げられると第２のアームの先端の第２のインターロックコネクタとの係合が解除されること、としても好適である。
【００１２】
本発明の高電圧ユニットケースは、内部に高電圧ユニットが収納される本体と、本体表面の第１の座に設けられた第１の開口と、第１の座と隣接し、第１の座よりも本体表面から突出する第２の座に設けられた第２の開口と、第１の座に取り付けられて第１の開口を覆う第１の蓋と、第２の座に取り付けられて第２の開口を覆う第２の蓋と、を備える高電圧ユニットケースであって、第１の蓋は、第１の座に取り付けられた状態で第１の座の表面に沿って第２の開口に向かって延びるアームと、アームに設けられ、第２の蓋の本体と反対側の面からボルトがねじこまれるねじ部と、を有すること、を特徴とする。
【発明の効果】
【００１３】
本発明は、複数の蓋が設けられた高電圧ユニットケースにおいて、簡便な構造で蓋の閉め忘れを防止することができるという効果を奏する。
【図面の簡単な説明】
【００１４】
【図１】本発明の実施形態における高圧ユニットケースを示す斜視図である。
【図２】本発明の実施形態における高圧ユニットケースの第１の蓋と第２の蓋とを取り付けた状態の平面図と断面図である。
【図３】本発明の実施形態における高圧ユニットケースの第１の蓋を取りつけずに第２の蓋を取り付けた状態の平面図と断面図である。
【図４】本発明の他の実施形態における高圧ユニットケースの第１の蓋と第２の蓋とを取り付けた状態の平面図と断面図である。
【図５】本発明の他の実施形態における高圧ユニットケースの第１の蓋を取りつけずに第２の蓋を取り付けた状態の平面図と断面図である。
【図６】本発明の他の実施形態における高圧ユニットケースの第１の蓋と第２の蓋とを取り付けた状態の平面図と断面図である。
【図７】本発明の他の実施形態における高圧ユニットケースの第１の蓋を取りつけずに第２の蓋を取り付けた状態の平面図と断面図である。
【図８】本発明の他の実施形態における高圧ユニットケースの第１の蓋と第２の蓋とを取り付けた状態の平面図と断面図である。
【図９】本発明の他の実施形態における高圧ユニットケースの第１の蓋を取りつけずに第２の蓋を取り付けた状態の平面図と断面図である。
【発明を実施するための形態】
【００１５】
以下、図面を参照しながら本発明の実施形態について説明する。図１に示すように、本実施形態の高電圧ユニットケース１００は、本体１１の内部にインバータ等の高電圧ユニット１０を収納する。本体１１は箱状の筐体１１ａと筐体１１ａの上面にボルト等によって固定される上カバー１１ｂとを備えており、筐体１１ａの内部に高電圧ユニットを取り付けた後、上カバー１１ｂを取り付けて、高電圧ユニット１０を本体１１の内部に収容する。上カバー１１ｂは二段になっており、高さの低い方の段の表面にはフランジ状の第１の座１２と第２の座２１が設けられ、各座１２，２１には本体１１の内部に取り付けられた高電圧ユニット１０を保守、点検するための第１の開口１３と第２の開口２２とが設けられている。第１の開口１３と第２の開口２２はボルト１５，２４によってそれぞれ第１の座１２と第２の座２１に取り付けられる第１の蓋１４と第２の蓋２３とによって覆われている。第２の座２１の上カバー１１ｂの表面からの突出高さは第１の座１２の上カバー１１ｂの表面からの突出高さよりも大きく、第２の座２１の表面の高さは第１の座１２の表面の高さよりも高くなっており、第１の座１２の表面と第２の座２１の表面とは略平行となっているので、第２の蓋２３は第１の蓋１４よりも高い位置に取り付けられている。第２の蓋２３には第１の開口１３の方向に向かって延び、先端がクランク状に折り曲げられたアーム２５が設けられ、アーム２５の先端にはピン２６が取り付けられている。
【００１６】
図２（ｂ）に示すように、本体１１の第２の開口２２の内部２８にはメス側インターロックコネクタ３０が設けられており、メス側インターロックコネクタ３０に対応する位置の第２の蓋２３にはオス側インターロックコネクタ３３が設けられている。メス側インターロックコネクタ３０は絶縁体の樹脂製で、その中央に段付の穴３２が設けられ、穴３２の内面には対向して２つの電極３１ａ，３１ｂが取り付けられている。各電極３１ａ，３１ｂ間は電気的に絶縁されており、各電極３１ａ，３１ｂは図１に示す高電圧ユニット１０の電源供給ラインに接続されている。オス側インターロックコネクタ３３は絶縁体の樹脂製で、その中央にメス側インターロックコネクタ３０の穴３２と相補形状の段付の突起３４が設けられている。突起３４の外面には２つの電極３５ａ，３５ｂが取り付けられている。各電極３５ａ，３５ｂは、オス側インターロックコネクタ３３の突起３４がメス側インターロックコネクタ３０の穴３２に入り込んだ場合に、穴３２に設けられた電極３１ａ，３１ｂと接する位置に配置されており、各電極３５ａ，３５ｂは接続線３５ｃによって電気的に接続されている。そして、オス側インターロックコネクタ３３の突起３４がメス側インターロックコネクタ３０の穴３２に入り込むと、メス側インターロックコネクタ３０の電極３１ａと電極３１ｂとは、電極３５ａ，３５ｂと接続線３５ｃによって電気的に接続され、図１に示す高電圧ユニット１０の電源供給ラインが接続されて高電圧ユニット１０が動作可能となり、第２の蓋２３が第２の座２１から取り外されてオス側インターロックコネクタ３３の突起３４がメス側インターロックコネクタ３０の穴３２から抜けると、電極３１ａと電極３１ｂとの電気的な接続が遮断され、図１に示す高電圧ユニット１０の電源供給ラインの接続が切れて高電圧ユニット１０が動作不可能となる。
【００１７】
本体１１の第１の開口１３の内部１８には図１に示す高電圧ユニット１０に接続されている端子１７が取り付けられている。第１の蓋１４を取り外すと端子１７が露出する。また、第１の蓋１４、第２の蓋２３は金属板によって構成され、その表面は絶縁性の樹脂あるいは塗料などによって絶縁されている。
【００１８】
図２（ａ）に示すように、第２の蓋２３に設けられたアーム２５は第１の開口１３及び第１の蓋１４の上にオーバーラップするよう構成されている。図２（ｂ）に示すように、第２の蓋２３に設けられているアーム２５は、第２の蓋２３が第２の座２１に取り付けられると第２の蓋２３と同一面で第１の開口１３の方向に向かってクランク状に突出し、その先端は第１の蓋１４あるいは第１の座１２の表面に沿った方向に沿って延び、その先端には金属製のピン２６がアーム２５及び第２の蓋２３と導通するように取り付けられている。ピン２６は、第２の蓋２３が第２の座２１にボルト２４によって取り付けられた状態で第１の開口１３の内部１８に設けられた端子１７の位置の直上となる位置に配置されている。図２（ｂ）に示すように、ピン２６には導電体として金属製のスプリング２７が取り付けられており、スプリング２７はピン２６によってガイドされて伸縮する。また、第１の蓋１４は第１の開口１３の内部１８に設けられた端子１７の位置の直上となる位置、つまり、ピン２６及びスプリング２７の位置と対応する位置に凹部１６が設けられている。この凹部の表面は第１の蓋１４の表面と同様に樹脂あるいは塗料などによって絶縁されている。
【００１９】
このように構成されている高電圧ユニットケース１００の内部に収納された高電圧ユニット１０の保守、点検の手順について説明する。高電圧ユニット１０の保守、点検の際には、まず、図２（ｂ）で上側となっている第２の蓋２３を取り外す。すると、オス側インターロックコネクタ３３の突起３４がメス側インターロックコネクタ３０の穴３２から抜けて電極３１ａと電極３１ｂとの電気的な接続が遮断され、高電圧ユニット１０の電源供給ラインの接続が切れて高電圧ユニット１０が動作できないようになる。高電圧ユニット１０が動作できないようにした後、図２（ｂ）で下側となっている第１の蓋１４を取り外し、端子１７を露出させ、高電圧ユニット１０の点検を行う。
【００２０】
高電圧ユニット１０の点検、保守が終了したら、まず、図２（ｂ）で下側になっている第１の蓋１４を第１の座１２に合わせてボルト１５によって取り付ける。このときはまだ第２の蓋が取り付けられていないので、高電圧ユニット１０は動作できない。次に第２の蓋２３を第２の座２１に合わせてボルト２４によって取り付ける。この際、第２の蓋２３のアーム２５の先端に取り付けられているスプリング２７はその先端が第１の蓋１４の凹部１６に入り込んで圧縮される。凹部１６の表面は絶縁されているのでスプリング２７と本体１１内部の高電圧ユニット１０とは絶縁された状態となる。第２の蓋が取り付けられると、オス側インターロックコネクタ３３の突起３４がメス側インターロックコネクタ３０の穴３２に入り込み、メス側インターロックコネクタ３０の電極３１ａと電極３１ｂとが電気的に接続され、図１に示す高電圧ユニット１０の電源供給ラインが接続されて高電圧ユニット１０が動作できるようになる。
【００２１】
一方、第１の蓋１４を閉め忘れて第２の蓋２３を閉めると、図３（ａ）、図３（ｂ）に示すように、第１の開口１３の内部１８に設けられている端子１７が露出した状態でオス側インターロックコネクタ３３とメス側インターロックコネクタ３０とが接続され、高電圧ユニット１０が動作できる状態となる。しかし、第１の蓋１４が取り付けられていないので、アーム２５の先端のピン２６に取り付けられたスプリング２７は第１の開口１３から内部１８に向かって伸び、その先端が端子１７に接触する。すると、スプリング２７、ピン２６、第２の蓋２３、ボルト２４を介して本体１１と高電圧ユニット１０とが導通状態となる。このように、本体１１と内部の高電圧ユニット１０とが導通状態となると、図示しない漏電検知センサが漏電状態を検出し、例えばシステムメインリレーのオフ状態を維持して高電圧ユニット１０に電源が供給されないようにして、高電圧ユニット１０が動作できない状態とする。
【００２２】
以上説明したように本実施形態の高電圧ユニットケース１００は、第１の蓋１４をつけずに第２の蓋２３を取り付けた場合であっても高電圧ユニット１０が動作しないので、作業者に取りつけミスを気づかせ、複数の開口の１つ開口にだけインターロックコネクタが設けられている場合でも簡便な構造で蓋の閉め忘れを防止することができる。また、高電圧ユニットケース１００の防塵、防水を確保することができる。
【００２３】
以上説明した実施形態の高電圧ユニットケース１００では、スプリング２７が伸縮して第１の蓋１４の凹部１６あるいは端子１７に接することとして説明したが、スプリング２７を用いず、アーム２５を板バネとして作用させ、ピン２６の先端を第１の蓋１４の凹部１６あるいは端子１７に接触させるようにしても良い。また、各インターロックコネクタ３０，３３のオス側とメス側を反対にしても良い。
【００２４】
図４、図５を参照しながら他の実施形態について説明する。図１から図３を参照して説明した実施形態と同様の部位には同様の符号を付して説明を省略する。図４に示すように第１の開口１３の内部１８には、第１のインターロックコネクタであるオス側インターロックコネクタ４１が設けられており、第１の蓋１４のオス側インターロックコネクタ４１に対応する位置にはオスメスインターロックコネクタ４４が設けられている。第２の蓋２３には、第２の蓋２３が第２の座２１に取り付けられると第２の蓋２３と同一面で第１の開口１３の方向に向かって第１の座１２の表面に沿った方向に沿って延びるアーム２５ａが設けられている。アーム２５ａは第１の開口１３及び第１の蓋１４の上にオーバーラップするよう構成されている。アーム２５ａのオス側インターロックコネクタ４１に対応する位置には第２のインターロックコネクタであるメス側インターロックコネクタ５１が設けられている。
【００２５】
オス側インターロックコネクタ４１は絶縁体の樹脂製で、その中央に突起４３が設けられ、突起４３の外面には２つの電極４２ａ，４２ｂが取り付けられている。各電極４２ａ，４２ｂ間は電気的に絶縁されており、各電極４２ａ，４２ｂは図１に示す高電圧ユニット１０の電源供給ラインに接続されている。
【００２６】
オスメスインターロックコネクタ４４は絶縁体の樹脂製で、その中央にオス側インターロックコネクタ４１の突起４３と相補形状の穴４５が設けられている。穴４５の内面には２つの電極４６ａ，４６ｂが対向して取り付けられている。各電極４６ａ，４６ｂは、オスメスインターロックコネクタ４４の穴４５がオス側インターロックコネクタ４１の突起４３に嵌り込んだ場合に、突起４３に設けられた電極４２ａ，４２ｂと接する位置に配置されており、オスメスインターロックコネクタ４４の穴４５がオス側インターロックコネクタ４１の突起４３に嵌り込むと、オス側インターロックコネクタ４１の電極４２ａと電極４２ｂとは、電極４６ａ，４６ｂと接する。また、オスメスインターロックコネクタ４４の穴４５と反対側の中央には、突起４７が設けられ、突起４７の外面には２つの電極４９ａ，４９ｂが取り付けられている。各電極４９ａ，４９ｂ間は電気的に絶縁されている。オスメスインターロックコネクタ４４の電極４２ａと電極４９ａ、電極４２ｂと電極４９ｂはオスメスインターロックコネクタ４４の内部でそれぞれ接続線４８によって接続されている。
【００２７】
メス側インターロックコネクタ５１は絶縁体の樹脂製で、その中央にオスメスインターロックコネクタ４４の突起４７と相補形状の穴５２が設けられている。穴５２の内面には２つの電極５３ａ，５３ｂが対向して取り付けられている。各電極５３ａ，５３ｂは、メス側インターロックコネクタ５１の穴５２がオスメスインターロックコネクタ４４の突起４７に嵌り込んだ場合に、突起４７に設けられた電極４９ａ，４９ｂと接する位置に配置されており、メス側インターロックコネクタ５１の穴５２がオスメスインターロックコネクタ４４の突起４７に嵌り込むと、オスメスインターロックコネクタ４４の電極４９ａ，４９ｂはそれぞれ電極５３ａ，５３ｂと接する。電極５３ａ，５３ｂはメス側インターロックコネクタ５１の内部で接続線５４によって電気的に接続されている。
【００２８】
そして、第１の蓋１４を取り付けるとオスメスインターロックコネクタ４４の穴４５がオス側インターロックコネクタ４１の突起４３に嵌まり込み、第２の蓋２３を取り付けるとメス側インターロックコネクタ５１の穴５２がオスメスインターロックコネクタ４４の突起４７に嵌まり込む。そして、オス側インターロックコネクタ４１の電極４２ａは、オスメスインターロックコネクタ４４の電極４６ａ、接続線４８、電極４９ａとメス側インターロックコネクタ５１の電極５３ａ、接続線５４、電極５３ｂとオスメスインターロックコネクタ４４の電極４９ｂ、接続線４８、電極４６ｂを介して電極４２ｂと電気的に接続される。すると、図１に示す高電圧ユニット１０の電源供給ラインが接続されて高電圧ユニット１０が動作可能となる。オスメスインターロックコネクタ４４は第１のインターロックコネクタであるオス側インターロックコネクタ４１と第２のインターロックコネクタであるメス側インターロックコネクタ５１を導通させる導通部材である。
【００２９】
このように構成された高電圧ユニットケース１００の内部に収納された図１に示す高電圧ユニット１０の保守、点検を図１から図３を参照して説明した実施形態と同様に行う際に、第１の蓋１４を取り付けた後に第２の蓋２３を取り付けた場合には、図４に示すように、各インターロックコネクタ４１，４４，５１が接続され、図１に示す高電圧ユニット１０の電源供給ラインが接続されて高電圧ユニット１０が動作可能となる。
【００３０】
一方、図５に示すように、第１の蓋１４をつけずに第２の蓋２３を取り付けると、第１の蓋１４に設けられているオスメスインターロックコネクタ４４がオス側インターロックコネクタ４１、メス側インターロックコネクタ５１に嵌まり込まないので、電極４２ａと電極４２ｂとの電気的な接続が遮断され、図１に示す高電圧ユニット１０の電源供給ラインの接続が切れて高電圧ユニット１０が動作不可能となる。
【００３１】
以上説明したように本実施形態の高電圧ユニットケース１００は、第１の蓋１４をつけずに第２の蓋２３を取り付けた場合であっても高電圧ユニット１０が動作しないので、作業者に取りつけミスを気づかせ、複数の開口の１つ開口にだけインターロックコネクタが設けられている場合でも簡便な構造で蓋の閉め忘れを防止することができる。また、高電圧ユニットケース１００の防塵、防水を確保することができる。
【００３２】
以上説明した実施形態の高電圧ユニットケース１００の各インターロックコネクタ４１，４４，５１のオス側とメス側を反対にしても良い。
【００３３】
図６、図７を参照しながら他の実施形態について説明する。図１から図３を参照して説明した実施形態と同様の部位には同様の符号を付して説明を省略する。図６に示すように、本体１１の第２の開口２２の内部２８には第３のインターロックコネクタであるメス側インターロックコネクタ３０が設けられており、メス側インターロックコネクタ３０に対応する位置の第２の蓋２３には第４のインターロックコネクタであるオス側インターロックコネクタ３３が設けられている。図６に示すように、第１の開口１３と第２の開口２２の間の本体１１の内部に設けられたヒンジ６１と、ヒンジ６１から第１の蓋１４に向かって延びる第１のアーム６２と、ヒンジ６１からオス側インターロックコネクタ３３に向って延びる第２のアーム６４とからなるストッパリンク６０を備えている。第２のアーム６４は第１のアーム６２よりも長く、その重量も第１のアームよりも重くなるよう構成されている。第１のアーム６２の先端６３は、第１の蓋１４が取り付けられると第１の蓋１４の本体１１側の面に取り付けられた爪１４ａによって本体１１の側に押込まれ、第２のアーム６４の先端６５がオス側インターロックコネクタ３３から離れるようにストッパリンク６０を図６に示す矢印の方向に回転させる。また、第１の蓋１４が取り外されると、図７に示すようにストッパリンク６０は第２のアーム６４の重さで図７に示す矢印の方向に回転する。この際、第２の蓋２３が閉まっていなければ、第２のアーム６４の先端６５はメス側インターロックコネクタ３０のオス側インターロックコネクタ３３の嵌まり込む側の端面に係合するよう構成されている。
【００３４】
このように構成された高電圧ユニットケース１００の内部に収納された図１に示す高電圧ユニット１０の保守、点検を行う際のストッパリンク６０の動作について説明する。高電圧ユニットケース１００の内部に収納された図１に示す高電圧ユニット１０の保守、点検を行うために、第１の蓋１４と第２の蓋２３とを取り外すと、図７に示すように、ストッパリンク６０は、第２のアーム６４の重さで図７に示す矢印の方向に回転し、第２のアーム６４の先端６５はメス側インターロックコネクタ３０のオス側インターロックコネクタ３３の嵌まり込む側の端面に係合する。点検の後、第１の蓋１４を取り付けると、第１の蓋１４の爪１４ａが第１のアーム６２の先端６３を本体に向かって押しこみ、ストッパリンク６０を図６の矢印の方向に回転させる。すると、第２のアーム６４の先端６５は、メス側インターロックコネクタ３０のオス側インターロックコネクタ３３の嵌まり込む側の端面から離れるとともに、回転によってオス側インターロックコネクタ３３の外形よりも第１の開口１３の方向の位置まで移動する。この状態で第２の蓋２３を取り付けると、第２の蓋２３に取り付けられているオス側インターロックコネクタ３３はストッパリンク６０の第２アーム５４の先端６５に接触せず、その突起３４がメス側インターロックコネクタ３０の穴３２に嵌まり込む。そして、メス側インターロックコネクタ３０の電極３１ａと電極３１ｂとが電気的に接続され、図１に示す高電圧ユニット１０の電源供給ラインが接続されて高電圧ユニット１０が動作できるようになる。
【００３５】
一方、図７に示すように、第１の蓋１４を閉め忘れて第２の蓋２３を閉めると、ストッパリンク６０の第２アーム５４の先端６５は、メス側インターロックコネクタ３０のオス側インターロックコネクタ３３の嵌まり込む側の端面に係合しているので、第２の蓋２３を取り付け用としても先端６５がオス側インターロックコネクタ３３の先端側の端面と係合して第２の蓋２３を第２の座２１に合わせられない。また、オス側インターロックコネクタ３３の突起３４はメス側インターロックコネクタ３０の穴３２に嵌まり込めず、第２の蓋２３が取り付けられない。また、メス側インターロックコネクタ３０の電極３１ａと電極３１ｂとが電気的に接続されないので、図１に示す高電圧ユニット１０の電源供給ラインの接続が切れた状態となり高電圧ユニット１０は動作できない状態のままとなる。
【００３６】
以上説明した本実施形態は、先に説明した実施形態と同様の効果を奏する。
【００３７】
図８、図９を参照しながら他の実施形態について説明する。図１から図３を参照して説明した実施形態と同様の部位には同様の符号を付して説明を省略する。図８に示すように第１の蓋１４は、第１の座１２に取り付けられた状態で第１の座１２の表面に沿って第２の開口１３に向かって延びるアーム１９が設けられている。また、第２の座２１の１つのボルト２４の取りつけ位置には切り欠き２９が設けられている。アーム１９は第１の蓋１４から第２の座２１の方向に延びたあと、クランク状に折り曲げられその先端が第２の座２１の切り欠き２９の中に入り込むよう構成され、アーム１９の先端の本体１１側には第２の蓋２３を取り付けるためのボルト２４を第２の蓋２３の本体１１と反対側の面からねじ込むことができるナット２０が溶接固定されている。そして、アーム１９の先端の本体１１と反対側の面は第２の蓋２３が取り付けられた状態では第２の蓋２３の本体側の面と接するよう構成されている。
【００３８】
このように構成された高電圧ユニットケース１００の内部に収納された図１に示す高電圧ユニット１０の保守、点検を行った後、第１の蓋１４を取り付けた後に第２の蓋２３を第２の座２１に合わせて各ボルト２４をねじ込むと、切り欠き２９の部分のボルトはアーム１９の先端に固定されたナット２０にねじ込まれ、他のボルト２４は第２の座２１のねじ孔にねじ込まれる。このため、全てのボルト２４を締め付けることができる。
【００３９】
一方、図９に示すように第１の蓋１４を取りつけずに第２の蓋２３を取り付けると、切り欠き２９に対応する部分のボルト２４を締めた際にボルト２４が空回りするので、作業者に第１の蓋１４を取り付けていないことを知らせることができる。また、第２の座２１の切り欠き２９にセンサを取りつけ、センサによってアーム１９が検知できない場合には、例えばシステムメインリレーのオフ状態を維持して高電圧ユニット１０に電源が供給されないようにして、高電圧ユニット１０が動作できない状態とする様に構成してもよい。
【００４０】
以上説明したように本実施形態の高電圧ユニットケース１００は、簡便な構造で蓋の閉め忘れを防止することができる。また、高電圧ユニットケース１００の防塵、防水を確保することができる。
【符号の説明】
【００４１】
１０  高電圧ユニット、１１  本体、１１ａ  筐体、１１ｂ  上カバー、１２  第１の座、１３  第１の開口、１４  第１の蓋、１４ａ  爪、１５，２４  ボルト、１６  凹部、１７  端子、１８，２８  内部、１９，２５，２５ａ  アーム、２０  ナット、２１  第２の座、２２  第２の開口、２３  第２の蓋、２６  ピン、２７  スプリング、３０，５１  メス側インターロックコネクタ、３１ａ，３１ｂ，３５ａ，３５ｂ，４２ａ，４２ｂ，４６ａ，４６ｂ，４９ａ，４９ｂ，３２，４５，５２  穴、３３，４１  オス側インターロックコネクタ、３４，４３，４７  突起、３５ｃ，４８，５４  接続線、４４  オスメスインターロックコネクタ、６０  ストッパリンク、６１  ヒンジ、６２  第１のアーム、６３，６５  先端、６４  第２のアーム、１００  高電圧ユニットケース。
【図１】
2010246321.tif 000003
【図２】
2010246321.tif 000004
【図３】
2010246321.tif 000005
【図４】
2010246321.tif 000006
【図５】
2010246321.tif 000007
【図６】
2010246321.tif 000008
【図７】
2010246321.tif 000009
【図８】
2010246321.tif 000010
【図９】
2010246321.tif 000011